(57)【要約】【課題】携帯電話機の利用価値を高めることができ、ゲーム性に富む携帯電話機を提供する。【解決手段】携帯電話機は、テンキー及び各種機能キーを有するキー入力部と、スピーカと、表示器と、外部と無線交信をする無線交信手段と、コンテンツ再生プログラム及び該プログラムが使用するデータを格納するメモリ装置とを有する。コンテンツ再生プログラムは、１番キーから９番キーまでのテンキーのうちの何れか１つが操作されたとき、予めそのテンキーに割り当てられている音声データをスピーカから出力するとともに、その音声データの内容を表す文字情報と背景画像とを含む画像データを表示器に出力する。【選択図】図１０
2007208860.tif 000002
【特許請求の範囲】
【請求項１】
テンキー及び各種機能キーを有するキー入力部と、スピーカと、表示器と、外部と無線交信をする無線交信手段と、コンテンツ再生プログラム及び該プログラムが使用するデータを格納するメモリ装置とを有する携帯電話機であって、
前記コンテンツ再生プログラムは、１番キーから９番キーまでのテンキーのうちの何れか１つが操作されたとき、予めそのテンキーに割り当てられている音声データを前記スピーカから出力するとともに、その音声データの内容を表す文字情報と背景画像とを含む画像データを前記表示器に出力することを特徴とする携帯電話機。
【請求項２】
前記コンテンツ再生プログラムは、キー入力待ち状態において所定の機能キーが操作された場合に前記表示器に少なくともシングル再生モード及びミックス再生モードを含む複数の再生モードを選択可能にメニュー表示するとともに、ユーザーが選択した再生モードをプロパティデータとしてメモリ装置に保存するプロパティ設定手段を有し、キー入力待ち状態における再生モードは前記プロパティデータに従い設定されていることを特徴とする請求項１記載の携帯電話機。
【請求項３】
前記コンテンツ再生プログラムは、前記プロパティデータに含まれる再生モードデータがシングル再生モードである場合にシングル再生モードで音声データ及び画像データの再生を実行するシングル再生実行手段と、前記プロパティデータに含まれる再生モードデータがミックス再生モードである場合にミックス再生モードで音声データ及び画像データの再生を実行するミックス再生実行手段とを有し、
前記シングル再生実行手段は、１つのテンキーに割り振られた音声データ及び画像データが出力されている間に他のテンキーが操作された場合、出力中の音声データ及び画像データの出力を終了して該他のテンキーに割り振られた音声データ及び画像データを出力するように構成され、
前記ミックス再生実行手段は、１つのテンキーに割り振られた音声データ及び画像データが出力されている間に他のテンキーが操作された場合、出力中の画像データの出力を終了して該他のテンキーに割り振られた画像データを出力するとともに、出力中の音声データに該他のテンキーに割り振られた音声データを合成して出力するように構成されていることを特徴とする請求項２記載の携帯電話機。
【請求項４】
前記プロパティ設定手段は、前記表示器に画面表示モードとしてシングル表示モード及び一覧表示モードを選択可能に表示するとともにユーザーが選択した画面表示モードを前記プロパティデータとしてメモリ装置に保存可能であり、前記コンテンツ再生プログラムは、プロパティデータとしてシングル表示モードが設定されているときは、予め用意されている画像データをキー入力待ち状態において前記表示器に表示し、また、プロパティデータとして一覧表示モードが設定されているときは、キー入力待ち状態において１番キーから９番キーまでのテンキーにそれぞれ割り振られている音声データの内容を表す文字情報の一覧画像を前記表示器に表示するよう構成され、さらに、キー入力待ち状態において所定の機能キーを操作することによりこの画面表示モードを切り換え可能であることを特徴とする請求項２記載の携帯電話機。
【請求項５】
前記コンテンツ再生プログラム及び該プログラムが使用する音声データ及び画像データを前記無線交信手段を介して外部のコンテンツサーバーからダウンロードし前記メモリ装置に格納するプログラム取得手段を有することを特徴とする請求項１記載の携帯電話機。
【発明の詳細な説明】
【技術分野】
【０００１】
本発明は、アプリケーションプログラム実行機能を備えた携帯電話機に関し、更に詳しくは、所定のテンキーを操作したとき、そのテンキーに割り振られた音声及び画像を再生して楽しむことができる携帯電話機に関するものである。
【背景技術】
【０００２】
従来、著名人（例えば著名な歌手、タレント等）の写真や似顔絵、キャラクタ（漫画やアニメ、映画、テレビ番組、ゲーム等に登場する架空の人物、動物等の容貌、姿態、図柄等）等を印刷したカードがトレーディングカード（略称：トレカ）として主としてコレクターズの間で広く流通している。こうしたカードの収集を趣味とする人達は集めたカードを眺めるだけでも満足感に浸ることができるのであるが、紙やプラスチック製のカードには著名人やキャラクタの特徴的な音声（セリフやメッセージ）を記録することができない点に難点がある。
【０００３】
近年、携帯電話機の機能が進歩し、ゲームなどのアプリケーションプログラムを実行できる携帯電話機も広く普及し始めているが（特許文献１参照）、カードコレクターズを満足させ得る機能を備えた携帯電話機は見当たらない。
【０００４】
【特許文献１】特開２００３−１０８１２８号公報
【発明の開示】
【発明が解決しようとする課題】
【０００５】
本発明は、所定のテンキーを操作したとき、そのテンキーに割り振られた音声及び画像を再生して楽しむことができる携帯電話機を提供しようとするものである。
【課題を解決するための手段】
【０００６】
上記課題を解決するために、本発明は、テンキー及び各種機能キーを有するキー入力部と、スピーカと、表示器と、外部と無線交信をする無線交信手段と、コンテンツ再生プログラム及び該プログラムが使用するデータを格納するメモリ装置とを有する携帯電話機であって、前記コンテンツ再生プログラムは、１番キーから９番キーまでのテンキーのうちの何れか１つが操作されたとき、予めそのテンキーに割り当てられている音声データを前記スピーカから出力するとともに、その音声データの内容を表す文字情報と背景画像とを含む画像データを前記表示器に出力することを特徴とする携帯電話機を提供する。
【０００７】
上記構成の携帯電話機において、好ましくは、前記コンテンツ再生プログラムは、キー入力待ち状態において所定の機能キーが操作された場合に前記表示器に少なくともシングル再生モード及びミックス再生モードを含む複数の再生モードを選択可能にメニュー表示するとともに、ユーザーが選択した再生モードをプロパティデータとしてメモリ装置に保存するプロパティ設定手段を有し、キー入力待ち状態における再生モードは前記プロパティデータに従い設定される。
【０００８】
また好ましくは、前記コンテンツ再生プログラムは、前記プロパティデータに含まれる再生モードデータがシングル再生モードである場合にシングル再生モードで音声データ及び画像データの再生を実行するシングル再生実行手段と、前記プロパティデータに含まれる再生モードデータがミックス再生モードである場合にミックス再生モードで音声データ及び画像データの再生を実行するミックス再生実行手段とを有し、前記シングル再生実行手段は、１つのテンキーに割り振られた音声データ及び画像データが出力されている間に他のテンキーが操作された場合、出力中の音声データ及び画像データの出力を終了して該他のテンキーに割り振られた音声データ及び画像データを出力するように構成され、前記ミックス再生実行手段は、１つのテンキーに割り振られた音声データ及び画像データが出力されている間に他のテンキーが操作された場合、出力中の画像データの出力を終了して該他のテンキーに割り振られた画像データを出力するとともに、出力中の音声データに該他のテンキーに割り振られた音声データを合成して出力するように構成される。
【０００９】
また好ましくは、前記プロパティ設定手段は、前記表示器に画面表示モードとしてシングル表示モード及び一覧表示モードを選択可能に表示するとともにユーザーが選択した画面表示モードを前記プロパティデータとしてメモリ装置に保存可能であり、前記コンテンツ再生プログラムは、プロパティデータとしてシングル表示モードが設定されているときは、予め用意されている画像データをキー入力待ち状態において前記表示器に表示し、また、プロパティデータとして一覧表示モードが設定されているときは、キー入力待ち状態において１番キーから９番キーまでのテンキーにそれぞれ割り振られている音声データの内容を表す文字情報の一覧画像を前記表示器に表示するよう構成され、さらに、キー入力待ち状態において所定の機能キーを操作することによりこの画面表示モードを切り換え可能である。
【００１０】
また好ましくは、前記コンテンツ再生プログラム及び該プログラムが使用する音声データ及び画像データを前記無線交信手段を介して外部のコンテンツサーバーからダウンロードし前記メモリ装置に格納するプログラム取得手段を有する。
【００１１】
さらに、本発明は、テンキー及び各種機能キーを有するキー入力部と、スピーカと、表示器と、外部と無線交信をする無線交信手段と、コンテンツ再生プログラム及び該プログラムが使用するデータを格納するメモリ装置とを有する携帯電話機に適用されるコンテンツ再生プログラムであって、１番キーから９番キーまでのテンキーのうちの何れか１つが操作されたとき、予めそのテンキーに割り当てられている音声データを前記スピーカから出力するとともに、その音声データの内容を表す文字情報と背景画像とを含む画像データを前記表示器に出力することを特徴とするコンテンツ再生プログラムを提供する。
【００１２】
上記構成のコンテンツ再生プログラムにおいて、好ましくは、前記コンテンツ再生プログラムは、キー入力待ち状態において所定の機能キーが操作された場合に前記表示器に少なくともシングル再生モード及びミックス再生モードを含む複数の再生モードを選択可能にメニュー表示するとともに、ユーザーが選択した再生モードをプロパティデータとしてメモリ装置に保存するプロパティ設定手段を有し、キー入力待ち状態における再生モードは前記プロパティデータに従い設定される。
【００１３】
上記構成のコンテンツ再生プログラムにおいて、好ましくは、前記コンテンツ再生プログラムは、前記プロパティデータに含まれる再生モードデータがシングル再生モードである場合にシングル再生モードで音声データ及び画像データの再生を実行するシングル再生実行手段と、前記プロパティデータに含まれる再生モードデータがミックス再生モードである場合にミックス再生モードで音声データ及び画像データの再生を実行するミックス再生実行手段とを有し、前記シングル再生実行手段は、１つのテンキーに割り振られた音声データ及び画像データが出力されている間に他のテンキーが操作された場合、出力中の音声データ及び画像データの出力を終了して該他のテンキーに割り振られた音声データ及び画像データを出力するように構成され、前記ミックス再生実行手段は、１つのテンキーに割り振られた音声データ及び画像データが出力されている間に他のテンキーが操作された場合、出力中の画像データの出力を終了して該他のテンキーに割り振られた画像データを出力するとともに、出力中の音声データに該他のテンキーに割り振られた音声データを合成して出力するように構成される。
【００１４】
また、上記構成のコンテンツ再生プログラムにおいて、好ましくは、前記プロパティ設定手段は、前記表示器に画面表示モードとしてシングル表示モード及び一覧表示モードを選択可能に表示するとともにユーザーが選択した画面表示モードを前記プロパティデータとしてメモリ装置に保存可能であり、前記コンテンツ再生プログラムは、プロパティデータとしてシングル表示モードが設定されているときは、予め用意されている画像データをキー入力待ち状態において前記表示器に表示し、また、プロパティデータとして一覧表示モードが設定されているときは、キー入力待ち状態において１番キーから９番キーまでのテンキーにそれぞれ割り振られている音声データの内容を表す文字情報の一覧画像を前記表示器に表示するよう構成され、さらに、キー入力待ち状態において所定の機能キーを操作することによりこの画面表示モードを切り換え可能である。
【発明の効果】
【００１５】
本発明によれば、１番キーから９番キーまでのテンキーの操作により、そのテンキーに割り振られた音声及び画像を瞬時に再生して楽しむことができる携帯電話機を提供することができる。
【発明を実施するための最良の形態】
【００１６】
以下、図面を参照して本発明の一実施形態を説明する。
【実施例１】
【００１７】
図１から図１５までは本発明の一実施形態を示したものである。
【００１８】
はじめに図１及び図２を参照すると、携帯電話機１０は、テンキー１２〜２３、入力キー２４〜２６、機能キー２７〜３０、多機能キー３１等からなるキー入力部１１を有し、多機能キー３１はセンターキー３１ａとその回りを囲っている４方向キー３１ｂとからなっている。テンキー１２〜２３は電話番号の入力や文字入力に用いることができる。
【００１９】
さらに、携帯電話機１０は、表示器３２，マイクロフォン３３、通話用スピーカ３４、アンテナ３５操作キー複数の操作スイッチ２１、表示器２２、マイクロフォン２３、通話用スピーカ２４、音響用スピーカ２５、バイブレータ３６及びアンテナ３７を備えている。キー入力部１１は、ユーザにより操作されて、この携帯電話機１０の作動を指示するものである。表示器３２は液晶ディスプレイなどにより構成されていて各種画像を表示する。これらのキー入力部１１および表示器３２はＣＰＵ３８に接続されている。マイクロフォン３３は音声信号を入力するもので、Ａ／Ｄ変換器３９を介してＣＰＵ３８に接続されている。通話用スピーカ３４は、受信した音声信号を発生するもので、Ｄ／Ａ変換器４０を介してＣＰＵ３８に接続されている。楽音用スピーカ３５は、音源回路４１によって生成されたディジタル楽音信号をＤ／Ａ変換器４２を介して入力し、前記楽音信号に対応した楽音を発生する。音源回路４１は、ＣＰＵ３８から供給される楽音制御データに基づいてディジタル楽音信号を生成する。また、Ｄ／Ａ変換器４２にはデコーダ４３も接続されている。デコーダ４３は、エンコードされた音声信号および楽音信号をＣＰＵ３８から入力して、同音声信号および楽音信号を直接表すディジタル信号に変換してＤ／Ａ変換器４２に供給する。バイブレータ３６は、ＣＰＵ３８によって制御されて、携帯電話機１０のケースを振動させるものである。アンテナ３７は外部との電波の送受信に利用されるもので、無線交信機４４を介してＣＰＵ３８に接続されている。
【００２０】
ＣＰＵ３８は、タイマ４５と、メモリ装置をなすＲＯＭ４６およびＲＡＭ４７と共にマイクロコンピュータの主要部を構成するもので、プログラムの実行によりこの携帯電話機の各種機能の作動を制御する。タイマ４５は、時間を計測するものである。ＲＯＭ４６は、前記プログラムの一部および定数を記憶しているものである。ＲＡＭ４７は、前記プログラムの一部およびプログラムの実行時に利用される変数を記憶しているものである。
【００２１】
図３に示すように、携帯電話機１０は、各地に設けられた中継局１を介してキャリアサーバコンピュータ２と交信可能になっていて、コンテンツの提供をキャリアサーバコンピュータ２から受けることができる。携帯電話機１０と中継局１との間は無線通信により交信される。中継局１とキャリアサーバコンピュータ２との間は、無線または有線によって交信される。キャリアサーバコンピュータ２はインターネット回線３を介してコンテンツサーバコンピュータ４に接続されている。なお、図示は省略するが、コンテンツサーバコンピュータ４は専用回線を介してキャリアサーバコンピュータ２に接続されていてもよい。
【００２２】
携帯電話機１０は通常の待受け状態においては、図４に示す待受け処理プログラムによって制御される。この待受け処理プログラムはステップＳ１００からスタートし、テンキー１２〜２３の何れかが押されたら電話発行処理を実行し（ステップＳ１０１〜Ｓ１０２）、電話呼び出しを検知したら電話着呼処理を実行し（ステップＳ１０３〜Ｓ１０４）、メールキー（機能キー２７）が押されたら図示しないメール処理を実行し（ステップＳ１０５〜Ｓ１０６）、メールの着信を検知したらメール受信処理を実行し（ステップＳ１０７〜Ｓ１０８）、メニューキー（機能キー３０）が入力されたらメニュー処理を実行する（ステップＳ１０９〜Ｓ１１０）。一方、パワーキー（入力キー２６）が所定時間以上押されると、待受け状態を終了する（ステップＳ１１１〜Ｓ１１２）。
【００２３】
図５（ａ）は携帯電話機１０が待受け状態にあるときの表示器３２の表示状態を示しており、表示器３２の表示画面にはユーザが選択した画像５０を表示できるものとなっている。
【００２４】
携帯電話機１０が待受け状態にあるとき、メニューキー（機能キー３０）が入力されると、図５（ｂ）に示すように、表示器３２にメインメニュー画面５１が表示される。単なる例示に過ぎないが、ここでは、「メール」、「インターネット」、「カメラ」、「アドレス帳」、「アプリ登録・更新・削除」、「登録アプリ一覧」、「アクセサリ」、「機能」などのメニュー項目が表示されており、４方向キー３１ｂを操作してそれらのうちの１つを選択し、選択キー（センターキー３１ａ）を押すと、選択されたメニュー項目に応じて所定のプログラム処理が実行されるように構成されている。ここで、「登録アプリ一覧」を選択し実行すると、図５（ｃ）に示すように、携帯電話機１０に登録されているアプリケーションの一覧を示す登録アプリケーション一覧画面５２が表示器３２に表示される。ここで、例えば「オシゴエ」を選択し実行すると、図５（ｄ）に示すように、この「オシゴエ」に関連付けされているコンテンツ再生プログラムにより再生可能なコンテンツの一覧画面５３が表示される。ここで、コンテンツ一覧の中から１つを選択し実行すると、図１０に示すコンテンツ再生プログラムが起動し、図５（ｅ）に示すように、表示器３２の表示画面にはユーザが選択したコンテンツのコンテンツ名が表示されるとともに、コンテンツ再生待機状態（すなわちキー入力待ち状態）を表す専用の画像５４が表示されてテンキー入力待ち状態となる。図１０に示すコンテンツ再生プログラムについては後述する。さらに、詳細については後述するが、図５（ｅ）は画面表示モードがシングル表示モードに設定されている場合のコンテンツ再生待機状態（すなわちキー入力待ち状態）における表示器３２の画面表示状態を示しており、図５（ｆ）は画面表示モードがコンテンツ一覧表示モードに設定されている場合のコンテンツ再生待機状態（すなわちキー入力待ち状態）における表示器３２の画面表示状態を示している。
【００２５】
本発明の特徴をなすコンテンツ再生プログラムは、キャリアサーバー３を経由してコンテンツサーバー４からダウンロードし携帯電話機１０に格納することができる。図５（ｂ）に示すメインメニュー画面５１で「アプリ登録・更新・削除」を選択し実行して「オシゴエ」に関するメニュー処理を進めると図６に示すコンテンツ取得プログラムが起動する。このプログラムはステップＳ１２０からスタートし、コンテンツサーバー４にログインする工程（ステップＳ１２１）と、コンテンツサーバー４上に登録されているコンテンツを検索し希望するコンテンツを選択する工程（ステップＳ１２２）と、選択されたコンテンツのダウンロードに対して発生する課金を確認し次いでコンテンツファイルのダウンロードを実行する工程（ステップＳ１２３）と、ダウンロードが終了したらそのコンテンツファイルをメモリ装置のＲＡＭ４７上に形成されているデータフォルダに保存する工程（ステップＳ１２４）と、表示器３２に表示されるアプリ一覧にそのコンテンツを登録する工程（ステップＳ１２５）を順次実行して終了する（ステップＳ１２６）。
【００２６】
なお、ここでは、コンテンツサーバー４からコンテンツファイルの形態でダウンロードされるコンテンツ再生プログラムは、その記憶容量を小さくするために、実行プログラム部分とこのプログラムが使用するデータ部分とを一体化しエンコード（圧縮）した状態となっており、データとしては音声データ及び画像データ、プロパティデータ等が含まれている。したがって、コンテンツ再生プログラムの実行時には、ＣＰＵ３８は、図示しないデコードプログラムを実行することにより、このコンテンツ再生プログラムをデコードする。すなわち、コンテンツ再生プログラムを解凍して実行プログラム部分とデータ部分とに分け、図７に示すように、実行プログラム部分はＲＡＭ３７におけるプログラムエリア６１へ、プロパティデータはプロパティデータエリア６２へ、再生用の音声データ及び画像データは音声データ及び画像データエリア６３へ、それぞれ格納される。
【００２７】
コンテンツ再生プログラムに付属する音声データは例えばセリフ、メッセージ等であり、画像データはこの音声に対応するセリフ、メッセージ等の文字情報と背景画像である。コンテンツーサーバーからダウンロードするコンテンツが例えばアニメに関するものであるときは、アニメの登場人物やキャラクタの画像を背景画像として用いてもよい。また、コンテンツーサーバーからダウンロードするコンテンツが例えばスポーツ選手に関するものであるときは、スポーツ選手の写真画像を背景画像として用いてもよい。
【００２８】
コンテンツ再生プログラムは、１番キーから９番キーまでのテンキー１２〜２０のうちの何れか１つが操作されたとき、予めそのテンキーに割り当てられている音声データを楽音用スピーカ３５から出力するとともに、その音声データの内容を表す文字情報と背景画像とを含む画像データを表示器３２に出力することを特徴とするものである。したがって、再生用の音声データ及び画像データはそれぞれ少なくとも９個あればよいが、９の倍数分の個数（例えば１８個、２７個、３６個、・・・）であってもよい。この場合、図８に示すように、再生用の音声データ及び画像データは、ページ毎に１番キーから９番キーまでのテンキー１２〜２０に割り当てられてＲＡＭ４７に保存されることとなる。
【００２９】
プロパティデータはコンテンツ再生プログラムを実行する際の動作モード、条件等を規定するデータであり、ダウンロード直後のプロパティデータは、デフォルトとして、図９に示すように、画面モードが「シングル」に、ループ再生が「オフ」に、ボリュームが「中」に、バイブレーションが「オフ」に、ミックスモードが「オフ」に、ランダムモードが「オフ」に、それぞれ設定されている。
【００３０】
上記したように、ユーザーがコンテンツ一覧の中から１つを選択し実行すると、ＣＰＵ３８がＲＡＭ４７に格納されているコンテンツ再生プログラムをデコード（解凍）し、起動する。図１０を参照すると、コンテンツ再生プログラムは、ステップＳ１３０からスタートし、まずＲＡＭ４７に保存されているプロパティデータを読み込み、プロパティデータで規定される動作モード、条件等に従って携帯電話機１０を再生待機状態（すなわちキー入力待ち状態）へと切り換える（ステップＳ１３１）。このとき、読み込まれたプロパティデータの中の画面表示モードがデフォルトのシングル表示設定である場合は、表示器３２には図５（ｅ）に示すシングル表示画像５４が表示される。一方、画面表示モードがデフォルトのシングル表示設定である場合は、表示器３２には図５（ｆ）に示すコンテンツ一覧表示画像５５が表示される。コンテンツ一覧表示画像５５においては、１番キーから９番キーまでのテンキー１２〜２０に割り当てられている音声データの音声内容（セリフ、メッセージ等）が文字情報で一覧表示される。したがって、コンテンツ全体の音声情報内容を容易に把握することができる。
【００３１】
この再生待機状態（すなわちキー入力待ち状態）において、１番キーから９番キーまでのテンキー１２〜２０のうちの何れかが入力操作されると、操作されたキーに割り当てられている音声データ及び画像データがＲＡＭ４７から読み出され、音声データはデコーダ４３でデコードされた後、Ｄ／Ａ変換器４２により、デジタル信号からアナログ信号に変換されて楽音用スピーカ３５から出力される。一方、画像データは表示器３２に出力される（ステップＳ１３２〜Ｓ１３３）。
【００３２】
一方、再生待機状態（すなわちキー入力待ち状態）において、表示器３２に図５（ｅ）に示すシングル表示画像５４が表示されている場合に、４方向キー３１ｂの▲表示部が押されると、表示器３２の表示が図５（ｆ）に示すコンテンツ内容一覧表示画像５５の表示に切り替わる（ステップＳ１３４〜Ｓ１３５）。また、再生待機状態（すなわちキー入力待ち状態）において、表示器３２に図５（ｆ）に示すコンテンツ内容一覧表示画像５５が表示されている場合に、４方向キー３１ｂの▼表示部が押されると、表示器３２の表示が図５（ｅ）に示すシングル表示画像５５の表示に切り替わる（ステップＳ１３６〜Ｓ１３７）。
【００３３】
さらに、再生待機状態（すなわちキー入力待ち状態）において、メニューキー（機能キー３０）が入力操作されると、コンテンツ再生プログラムはプロパティ設定処理ルーチンを実行する（ステップＳ１３８〜Ｓ１３９）。このプロパティ設定処理ルーチン（ステップＳ１３９）は、図１１に示すように、ステップＳ１５０でスタートし、図１２（ａ）に示すように、表示器３２に表示されている画像の上に重ねてプロパティメニュー画面７１を表示する（ステップＳ１５１）。ここで終了キー（機能キー２８）が押されるとプロパティ設定処理ルーチンを終了する（Ｓ１５２〜Ｓ１５３）。
【００３４】
単なる一例に過ぎないが、ここでは、プロパティメニュー画面７１は、「画面モード」７２、「ループ再生」７３、「ボリューム」７４、「バイブレーション」７５、「ミックスモード」７６、「ランダム再生」７７、「保存して終了」７８等のメニュー項目を有している。「画面モード」７１を選択して実行すると、図１２（ｂ）に示すように、「シングル」７９と「一覧」８０とからなるサブメニュー項目が現れるので、どちらかを選択し実行すると、その設定がＲＡＭ４７上に仮保存される。「シングル」７９は、表示器３２に図５（ｅ）に示すシングル表示画像５４を表示させるモードであり、「一覧」８０は、表示器３２に図５（ｆ）に示すコンテンツ内容一覧表示画像５５を表示させるモードである。
【００３５】
さらに、「ループ再生」７２を選択して実行すると、図１３（ａ）に示すように、「オン」８１と「オフ」８２とからなるサブメニュー項目が現れるので、どちらかを選択し実行すると、その設定がＲＡＭ４７上に仮保存される。「ループ再生」７２の「オフ」８２を選択し実行した場合、コンテンツ再生出力時に、テンキーに割り当てられた音声データ及び画像データが１回のみ再生出力されるが、「ループ再生」７２の「オン」８２を選択し実行した場合、コンテンツ再生出力時に、終了キー（機能キー２８）が押されるまで、テンキーに割り当てられた音声データ及び画像データが何回も繰り返して再生出力される。
【００３６】
さらに、「ボリューム」７４を選択して実行すると、図１３（ｂ）に示すように、「大」８３と「中」８４と「小」８５とからなるサブメニュー項目が現れるので、それらのうちの何れかを選択し実行すると、その音量設定がＲＡＭ４７上に仮保存される。
【００３７】
さらに、「バイブレーション」７５を選択して実行すると、図１３（ｃ）に示すように、「オン」８６と「オフ」８７とからなるサブメニュー項目が現れるので、どちらかを選択し実行すると、その設定がＲＡＭ４７上に仮保存される。「バイブレーション」７５の「オン」８６を選択し実行した場合、コンテンツ再生出力時に、テンキーに割り当てられた音声データ及び画像データが再生出力される際に、バイブレータ３６が駆動されて携帯電話機１０のケースに振動が生成される。
【００３８】
さらに、「ミックスモード」７６を選択して実行すると、図１３（ｄ）に示すように、「オン」８８と「オフ」８９とからなるサブメニュー項目が現れるので、どちらかを選択し実行すると、その設定がＲＡＭ４７上に仮保存される。「ミックスモード」７６の「オフ」８８を選択し実行した場合、コンテンツ再生出力時に、図１４（ａ）に示すシングル再生処理が実行される。一方、「ミックスモード」７６の「オン」８９を選択し実行した場合、コンテンツ再生出力時に、図１４（ｂ）に示すミックス再生処理が実行される。これらの処理の詳細については後述する。
【００３９】
さらに、「ランダム再生」７７を選択して実行すると、図１３（ｅ）に示すように、「オン」９０と「オフ」９１とからなるサブメニュー項目が現れるので、どちらかを選択し実行すると、その設定がＲＡＭ４７上に仮保存される。「ランダム再生」７７の「オン」９１を選択し実行した場合、コンテンツ再生モードがランダム再生モードに切り替わり、＃のテンキー２２を押したときに、１番〜９番のテンキー１２〜２０に割り当てられている音声データをランダムに選び出し、その音声データに対応した画像データと共に再生出力するものとなる。また、このランダム再生モード状態のときは、１番〜９番のテンキー１２〜２０を押してもコンテンツ（音声データ及び画像データ）の再生出力は行われない。
【００４０】
各メニュー項目の設定を変更したときは、最後に「保存して終了」７８を選択し実行すると、ＲＡＭ４７に仮保存されていた設定データがプロパティデータとしてＲＡＭ４７に保存された後（ステップＳ１５４〜Ｓ１５５）、図１１の処理ルーチンを終了する（ステップＳ１５３）。
【００４１】
終了キー（機能キー２８）の入力操作又は「保存して終了」７８の選択実行をしない限り、プロパティの設定を続行することができる（ステップＳ１５６）。
【００４２】
こうして、上記ステップＳ１３９のプロパティ設定処理ルーチンが終了すると、ステップＳ１３１に戻り、ＲＡＭ４７に保存されているプロパティデータを再度読み込み、プロパティデータで規定される動作モード、条件等に従って携帯電話機１０を再生待機状態（すなわちキー入力待ち状態）へと切り換える。
【００４３】
さらに、図１０に示す再生待機状態（すなわちキー入力待ち状態）において（ステップＳ１３１）、終了キー（機能キー２８）が押されると、再生待機状態（すなわちキー入力待ち状態）を終了するので（図１０中ステップＳ１４０〜Ｓ１４１）、携帯電話機１０は通常の待受け状態（図４参照）に戻る。
【００４４】
なお、図示は省略するが、図１０に示す再生待機状態（すなわちキー入力待ち状態）において表示器３１の画面をコンテンツ内容一覧表示モードが選択され、表示器３２に図５（ｆ）に示すコンテンツ内容一覧表示画像５５を表示しているときに、メニューキー（機能キー３０）を操作すると、コンテンツ内容一覧表示画像５５のページを切り換えることができ、これにより、１番キーから９番キーまでのテンキー１２〜２２に割り当てる音声及び画像データをページ単位で変更することができる。ページ切換手段としては他の手段を用いてもよい。
【００４５】
図１４（ａ）及び（ｂ）はそれぞれ図１３に示すコンテンツ再生プログラムのシングル再生モードによるコンテンツ再生処理ルーチン及びミックス再生モードによるコンテンツ再生処理ルーチンを示したものである。また、図１５（ａ）、（ｂ）、（ｃ）はそれぞれキー操作と音声データ及び画像データの再生出力との関係を示すタイムチャートであり、（ａ）はテンキーを１つのみ操作した場合、（ｂ）はシングル再生モード下で２つのテンキーが連続操作された場合、（ｃ）はミックス再生モード下で２つのテンキーが連続操作された場合をそれぞれ示す。
【００４６】
はじめに図１５（ａ）を参照すると、携帯電話機１０が再生待機状態（図５（ｅ）又は（ｆ）参照）にあるとき、例えば１番キー（テンキー１２）が単独で１回押された場合、表示器３２に表示出力されていた待機専用の画像は停止され、１番キーに割り当てられている音声データ及び画像データ（第１の音声及び第１の画像）が再生出力される。そして、第１の音声出力が１００％に達し、その出力が終了すると、第１の画像もその出力も終了されて表示器３２の画像表示は第１の画像から待機専用の画像へと復帰する。
【００４７】
次に、シングル再生モード下で２つのテンキー、例えば１番キー１２と２番キー１３が連続的に操作された場合、コンテンツ再生プログラムは、２つ目のキー（２番キー１３）が押されたときに図１４（ａ）の処理ルーチンを実行する。この処理ルーチンはステップＳ１６１からスタートし、前回の操作キー（１番キー１２）に割り当てられた音声データ（第１音声）が再生中であるかどうかをチェックする（ステップＳ１６１）。そして、前回の操作キー（１番キー１２）に割り当てられた音声データ（第１音声）が再生中であるときは、前回の操作キー（１番キー１２）に割り当てられた音声データ（第１音声）及び画像データ（第１画像）の再生を強制終了してから、今回の２つ目のキー（２番キー１３）に割り当てられた音声データ（第２音声）及び画像データ（第２画像）の再生を実行する（ステップＳ１６２〜Ｓ１６４）。すなわち、図１５（ｂ）に示すように、第１音声が再生途中であっても、強制的に第１音声及び第１画像の再生を終了して第２音声及び第２画像の再生に切り換えることとなる。
【００４８】
一方、ミックス再生モード下で２つのテンキー、例えば１番キー１２と２番キー１３が連続的に操作された場合、コンテンツ再生プログラムは、２つ目のキー（２番キー１３）が押されたときに図１４（ｂ）の処理ルーチンを実行する。この処理ルーチンはステップＳ１７１からスタートし、前回の操作キー（１番キー１２）に割り当てられた音声データ（第１音声）が再生中であるかどうかをチェックする（ステップＳ１７１）。そして、前回の操作キー（１番キー１２）に割り当てられた音声データ（第１音声）が再生中であるときは、前回の操作キー（１番キー１２）に割り当てられた画像データ（第１画像）の再生を強制終了してから、今回の２つ目のキー（２番キー１３）に割り当てられた画像データ（第２画像）の再生を実行するが、前回の操作キー（１番キー１２）に割り当てられた音声データ（第１音声）の再生を強制終了することなく、今回の２つ目のキー（２番キー１３）に割り当てられた音声データ（第２音声）の再生を実行する（ステップＳ１７２〜Ｓ１７４）。すなわち、図１５（ｃ）に示すように、２つ目のキー（２番キー１３）が押されたときに第１音声が再生途中の場合、表示器３２の画面表示は瞬時に第１画像から第２画像へと切り替わるが、音声出力は第１音声に第２音声が合成されて楽音用スピーカ３５に出力されることとなる。
【００４９】
したがって、シングル再生モードとミックス再生モードではコンテンツの連続的再生時に特にユーザーに与える音感が大きく異なってくるので、一層ゲーム性に富むものとなる。なお、ミックス再生モード下において音声の合成出力を行う最大回数を所定回数（例えば２〜３回）以内に制限してもよいし、そのような規制を無いものとしてもよい。
【００５０】
以上、図示実施形態につき説明したが、本発明は上記実施形態のみに限定されるものではなく、その構成要素に種々の変更を加えることができる。
【００５１】
例えばループ再生のオン、オフ切換は上記したようにプロパティメニュー画面で行うことができるが、さらに、再生待機状態（キー入力待ち状態）のときに例えば＊のテンキー２１にループ再生のオン、オフ切換機能を割り付けておいてもよい。その場合、ループ再生モード下で音声及び画像の再生が繰り返されているときに＊のテンキー２１を押すことにより、ループ再生を終了させることができるとともに、ループ再生をオフに切り換えることができる。
【００５２】
さらに、再生待機状態（キー入力待ち状態）のときに、＃のテンキー２２を常時ランダム再生実行キーとして割り付けてもよく、＃のテンキー２２を押したときに、１番〜９番のテンキー１２〜２０に割り当てられている音声データをランダムに選び出し、その音声データに対応した画像データと共に再生出力するように構成してもよい。この場合において、１番〜９番のテンキー１２〜２０を押したときは１番〜９番のテンキー１２〜２０に割り当てられた音声データ及び画像データを再生出力することができる。
【産業上の利用可能性】
【００５３】
本発明によれば、携帯電話機の利用価値を高めることができ、ゲーム性に富む携帯電話機を提供することができる。
【図面の簡単な説明】
【００５４】
【図１】（ａ）、（ｂ）はそれぞれ本発明の一実施形態を示す携帯電話機の外観正面図及び外観背面図である。
【図２】図１に示す携帯電話機の概略ブロック図である。
【図３】図１の携帯電話機を含む携帯電話通信システムの構成を示す図である。
【図４】図１の携帯電話機で実行される待受け処理プログラムを示すフローチャートである。
【図５】（ａ）、（ｂ）、（ｃ）、（ｄ）、（ｅ）、（ｆ）はそれぞれ図１の携帯電話機が待受け状態、メインメニュー表示状態、登録アプリケーション一覧表示状態、再生用コンテンツ一覧表示状態、コンテンツ再生待機（キー入力待ち）状態（シングル表示モード）、並びに、コンテンツ再生待機（キー入力待ち）状態（コンテンツ内容一覧表示モード）のときの表示器の表示状態を示す図である。
【図６】図１の携帯電話機で実行されるコンテンツ取得プログラムを示すフローチャートである。
【図７】ＲＡＭ内のデータフォーマットを概略的に示す図である。
【図８】ＲＡＭ内に格納された音声データ及び画像データの格納状態を概略的に示す図である。
【図９】ＲＡＭに格納されるプロパティデータのデフォルト値を示す図である。
【図１０】図１の携帯電話機で実行されるコンテンツ再生プログラムを示すフローチャートである。
【図１１】図１０に示すコンテンツ再生プログラムのプロパティ設定処理ルーチンを示すフローチャートである。
【図１２】（ａ）、（ｂ）はそれぞれ図１の携帯電話機の表示器に表示されるプロパティ設定メニュー画面を示す図である。
【図１３】（ａ）、（ｂ）、（ｃ）、（ｄ）、（ｅ）はそれぞれ図１０に示すプロパティ設定メニュー画面のメニュー項目毎のサブメニュー項目を示す図である。
【図１４】（ａ）、（ｂ）はそれぞれ図１３に示すコンテンツ再生プログラムのシングル再生モードによるコンテンツ再生処理ルーチン及びミックス再生モードによるコンテンツ再生処理ルーチンを示す図である。
【図１５】（ａ）、（ｂ）、（ｃ）はそれぞれキー操作と音声データ及び画像データの再生出力との関係を示すタイムチャートであり、（ａ）はテンキーを１つのみ操作した場合、（ｂ）はシングル再生モード下で２つのテンキーが連続操作された場合、（ｃ）はミックス再生モード下で２つのテンキーが連続操作された場合をそれぞれ示す。
【符号の説明】
【００５５】
４    コンテンツサーバー
１０    携帯電話機
１１    キー入力部
１２〜２３    テンキー
２７〜３１    機能キー
３２    表示器
３５    楽音用スピーカー
３８    ＣＰＵ
４４    無線交信機
４６    ＲＯＭ
４７    ＲＡＭ
【図１】
2007208860.tif 000003
【図２】
2007208860.tif 000004
【図３】
2007208860.tif 000005
【図４】
2007208860.tif 000006
【図５】
2007208860.tif 000007
【図６】
2007208860.tif 000008
【図７】
2007208860.tif 000009
【図８】
2007208860.tif 000010
【図９】
2007208860.tif 000011
【図１０】
2007208860.tif 000012
【図１１】
2007208860.tif 000013
【図１２】
2007208860.tif 000014
【図１３】
2007208860.tif 000015
【図１４】
2007208860.tif 000016
【図１５】
2007208860.tif 000017